(57)【要約】【課題】居間に侵入した蚊がとりわけ無害化され、他の夜行性昆虫がとりわけ捕獲され得る、簡易で、費用効果があり、環境に優しい装置を提供する。【解決手段】ベースに止まっている個々の夜行性昆虫の処分または捕獲装置であって、懐中電灯（１）と、電灯（１）の光出力部分に配置され、好ましくは可動可能であり、昆虫が逃げるのを防ぐ手段（１１）とを備えた透明な取り付け具（２）とを含む。【選択図】図１
2010500008.tif 000002
【特許請求の範囲】
【請求項１】
表面に位置する、個々の夜行性昆虫を無害化または捕獲する装置であって、携帯照明器具と、光の出口に配置され、光路を許容し、昆虫捕獲手段を含む、取り付け具とを特徴とする。
【請求項２】
昆虫捕獲手段が、取り付け具に挿入され得る交換可能部品であること、
を特徴とする請求項１に記載の装置。
【請求項３】
昆虫捕獲手段が、接着剤層であること、
を特徴とする請求項１に記載の装置。
【請求項４】
昆虫捕獲手段が、照明器具に直接取り付けられること、
を特徴とする請求項１に記載の装置。
【請求項５】
昆虫捕獲手段が、接着剤でコーティングされたシートからなるブロックで構成されること、
を特徴とする請求項１に記載の装置。
【請求項６】
取り付け具が、フレキシブル部品により、照明器具に可動可能に取り付けられていること、
を特徴とする請求項１に記載の装置。
【請求項７】
フレキシブル部品が、一端が照明器具に取り付けられたピンに位置し、第二端が取り付け具に取り付けられたピンに位置する螺旋スプリングであること、
を特徴とする請求項６に記載の装置。
【請求項８】
取り付け具が、接着剤でコーティングされた回転マウントローラーを備えていること、
を特徴とする請求項１に記載の装置。
【請求項９】
照明器具、または、取り付け具に取り付けられ得る延長具を備えていること、
を特徴とする請求項１に記載の装置。
【発明の詳細な説明】
【技術分野】
【０００１】
本発明は、表面に位置する、個々の夜行性昆虫を、無害化または捕獲する装置に関する。
【背景技術】
【０００２】
夜行性昆虫は、光源に向かって飛翔する、という事実は、一般的な経験で知られている。昆虫が、屈光性の傾向の性質があるとすれば、電灯、ろうそく、たき火等、どのような光源に対しても飛来する。どのような可視光源も、これらの昆虫のオープンな飛行経路を意味する。
【０００３】
卵成熟のために、メスの蚊は、トリ、動物、人間からも、血液を要求する。彼等は、血液食用に適した餌食を探すために、視覚、熱、および、臭覚指標を用いる。
【０００４】
屋外の葉の上でするように、メスの蚊は、壁、天井、および居間の電化製品の上に、好ましくは、照明がオフの際に、静かに止まる。暗い部屋でしばらくの間邪魔されない場合、彼等は、血液を吸うために、獲物に近づく。この活動が邪魔された場合、一般に、直ちに、暗い部屋で、獲物の近くに落ち着き、再度静かに止まって待つ。
【０００５】
蚊の居間への侵入を防ぐための多数の方法が存在する。殺虫剤がよく使用されるが、これは意見の分かれるところである。しかしながら、一度彼等が侵入した場合は、直ちに彼等を無害にすることが重要である。蚊を叩く、または蚊に投げる、ハエ叩きまたは網が、用いられる。この実践は、骨が折れ、豊富なスキルと、とりわけ狙いの正確性を要する。さらに、蚊を潰すことにより、血液の残存やしみが、壁、天井、および電化製品の上に形成される。このような退治の多数の欠点が、一般に知られている。
【発明の概要】
【発明が解決しようとする課題】
【０００６】
本発明の一般的目的は、上述した欠点を回避し、改良を施すことである。特に、本発明は、居間に侵入した蚊がとりわけ無害化され、他の夜行性昆虫がとりわけ捕獲され得る、簡易で、費用効果があり、環境に優しい装置を提供することを目的としている。
【課題を解決するための手段】
【０００７】
本発明によれば、目的は、携帯照明器具と、光の出口に配置され、光路を可能にし、昆虫捕獲用手段を含む、取り付け具と、携帯照明器具と、光の出口に配置され、光路を許容し、昆虫捕獲手段を含む、取り付け具により達成される。
【０００８】
取り付け具と、昆虫捕獲手段は、透明な材料で構成されることが好ましい。さらに、取り付け具は、弾性部品により、照明器具に取り付けられるのが好ましい。本記述の範囲内では、照明器具と懐中電灯（Taschenlampe）または懐中電灯（Stablampe）の表現は、等しく用いられる。
【０００９】
本発明の好ましい実施形態は、以下の添付図面を参照して開示される。
【図面の簡単な説明】
【００１０】
【図１】蚊捕獲用取り付け具を備えた懐中電灯の分解図、部分断面図を示す。
【図２】図１に示す配置の斜視図を示す。
【図３】本発明の他の実施形態の斜視図を示す。
【図４】図３に示す延長装置の変形を示す。
【図５】昆虫捕獲の一実施形態を示す。
【発明を実施するための形態】
【００１１】
図１および図２に示す金属または樹脂製の装置は、本目的用に設計された懐中電灯１と、スペーサー３を備えた平らなプレート４の形態で可動可能であり、弾性部品により照明器具に取り付けられる取り付け具とで構成される。
【００１２】
本実施形態の懐中電灯１において、断面が図示された照明器具ガラス５は、外見上、軸方向に配置された中央円筒状ピン６を有する。このピンは、ガラス上に一体的に形成され、従って、光出力が低下しないように、または、実質的に低下しないように、同じ材料からなっている。
【００１３】
ピンは、一端がピンに配置される螺旋スプリングを固定するために用いられる。ピンの円筒状表面は、スプリングの端部をよりしっかりと保持し、不用意な脱落を避けるために、粗面化またはリブ化されている。しかしながら、ピンの表面が滑らかな場合でも、スプリングは十分強固に保持される。
【００１４】
スプリングの他端は、プレート４の下側に形成された、実質上同一形状のピン８に配置される。照明器具ガラス５とプレート４との間の弾性結合の結果、プレートは、照明器具の軸に対してどの方向にも傾き得る。このように、プレートは、たとえば壁等の表面に、たとえ照明器具がこの表面に正確に垂直に保持されていない場合でも、常に平坦に置くことができる。
【００１５】
プレート４は円形であり、最大限の光路を許容するために、透明な材料で構成されている。プレート４の直径は、照明器具の頭部の直径とほぼ同等のサイズであってもよいが、大きいほうが好ましい。
【００１６】
図３に示す実施形態では、取り付け具は、スペーサー１２を備えた、４つ角の、好ましくは正方形プレート１０で構成されており、前述した実施形態と同等の方法で、スプリング７によりピン６に取り付けられている。
【００１７】
開示された取り付け具により、昆虫を無害にする可能性が多数ある。第一の可能性は、プレート４、および／または、１０の、照明器具とは離れた側に、蚊捕獲用の、透明な、および／または、クリアな昆虫用接着剤の層１１を備えることである。プレート４、および／または、１０のエッジにおけるスペーサー３、および／または、１２は、蚊が潰されないために用いられる。スペーサは、プレートが配置された際に、蚊が接着剤層にわずかに接触するように、寸法が決められる。これは、蚊を飛翔できなくするには十分である。さらに、接着層が、蚊が止まった表面に接触するのを避けるために、プレート４、および／または１０のエッジだけでなく、全面にスペーサーが備えられる。例えば、図３に、これが示される。接着剤層の適用後、格子部品１３が、２つの対向するプレートエッジに沿って、スペーサー１２に挿入される。
【００１８】
両実施形態において、さらに、第一に接着剤層を保護し、第二に捕獲した蚊の不快な姿を隠すカバー１４が備えられる。
【００１９】
接着剤コーティングに代わって、一方の接着面はフィルムをプレートに添付するために用いられ、他方は蚊の捕獲のために用いられる、透明な両面接着フィルムを備えることで、さらに蚊を捕獲することが可能である。プレートには、フィルムとプレートとの間の気泡を避けるために、孔が開けられている。本実施形態では、プレートが配置された際に、昆虫が確実に付着するために軽い圧力が昆虫にかかるように、スペーサーは、より平坦である。本バージョンの利点は、捕獲された多数の昆虫により見苦しくなった場合に、接着フィルムが除去され、新しいフィルムにより交換され得ることである。フィルムの除去を可能とするために、プレートのエッジには、フィルムの片面が、適した物体、例えば、ボールペン等により、それを通じてプレートから押しのけられ得る、大きい貫通孔９が備えられている。
【００２０】
蚊を傷つける場合に限っては、接着剤層は不要であるかも知れない。この実施形態においても、昆虫が壁に対して完全につぶされないように、スペーサーが備えられている。しかしながら、スペーサーは、接着フィルムバージョンよりも、より平坦である。
【００２１】
照明器具ガラス上にピン６を形成する代わりに、取り付け具１５に取り付けられても良い。
【００２２】
ピンは、スプリングの内面がピンのエッジでのみ支えられるように、正方形の断面を有していても良い。エッジは、それぞれのプレートに一体化する端部に凹所を有している。スプリングの両端部巻線の直径が、他の巻線の直径よりわずかに小さく設定されている場合、スプリングをピンに押し付けると、これらの端部巻線は広がり、エッジの凹部に嵌る。
【００２３】
さらなる実施形態によれば、凹部は、弾性結合のために用いられるスプリングの端部が固定される、互いに対向する取り付け部品とプレートの表面とに挿入されても良い。
【００２４】
螺旋状スプリングの代わりに、例えば、２つの弾性結合部品の適切な孔に挿入された螺旋状鋼線、または、変形可能な樹脂ネックなどの、他の弾性部品が用いられても良い。例えば、LED照明器具など、頭部の直径が小さい照明器具では、螺旋状スプリングは、一端が照明器具の頭部上を滑るように設計されても良い。
【００２５】
図１〜３による両実施形態は、蚊を、より高い、または、部屋の届きにくい部分で捕獲する延長部用の受け部１６を備えている。延長棒１７が、受け部１６に挿入され得る。受け部１６は、照明器具のハウジングまたは取り付け部部品の外表面に対し軸方向に平行に取り付けられる管状部品で構成される。延長棒が、この管状部品に挿入される。延長棒は、挿入に適した２つのピン、軸方向に平行なピン１８と、例えば４５°の角度で配置されるピン１９と、を有する。管状部品の代わりに、延長棒の管状端が取り付けられ得るピンが、ハウジングに備えられていても良い。
【００２６】
軸方向に平行な方向に代わって、図４に示すように、受け部は、軸に対して、好ましくは４５°の角度で配置されていても良い。受け部自体は、照明器具のハウジングに取り付けられている。さらに、受け部を、照明器具のハウジングを囲み、照明器具のハウジングを固定するリングに取り付けることも可能である。受け部に挿入された延長棒の端部が、例えば棒の軸に対して４５°の角度を形成する場合、照明器具は、延長棒に対して、どのような角度も選択し得る。
【００２７】
延長棒１７は、金属、樹脂等でできた、一体型の棒、または管である。さらに、延長棒は、互いにかみ合う個別部品、または、伸縮自在に収納できるロッドで構成されても良い。
【００２８】
ノートブロックとして使用され、“Post-iot”のブランドネームで知られるブロックと同様に、添付された多数の透明フィルムシートを含み、各シートが非硬化接着剤でコーティングされたブロックでも、昆虫の捕獲が可能である。ノートブロックとは異なり、ブロックの個別シートは、上面と、表面の大部分に接着剤が備えられ、小さなエッジ領域のみが接着剤を伴わない。このエッジ領域は、個別シートを掴むために用いられる。
【００２９】
ブロックのシート数は、ベースプレートとブロックとを貫通する光が、光ビームで目標の昆虫を探すために十分であるように、選択される。昆虫捕獲のために、他の実施形態では、本発明による装置を備えた照明器具は、接着層により接触し付着するまで昆虫に近づけられる。昆虫がブロックの最上部のシートに付着した後、シートは容易に剥がされ、処分される。これにより、新しいシートが、次の利用に有効となる。
【００３０】
ブロックの全てのシートが使用された場合は、装置は、ブロックに添付されて利用される接着剤により用いられ得る。ブロックの最後のシートは、ブロックを固定する両面接着フィルムであり得る。
【００３１】
電界を適用する手段を備えたプレート４、および／または１０を備えても、さらに、蚊や害虫を無害化することが可能である。この目的を達成するために、配線や導体がプレート上に配分される。
【００３２】
図５に示す装置は、昆虫を傷付けることなく捕獲するために用いられる。ベース２１に開口部または透明領域を含むハウジング２０が、例えば、プレート４、および／または１０と同様の方法で、照明器具の上に配置され、または照明器具に取り付けられる。均一の透明材料でできている、リムのない旋回軸カバー２２が、ベース２１とは反対側のハウジング２０に取り付けられている。カバーの旋回軸は、側壁２３に、または、その内面または外面近傍に配置され、カバーが置かれる厚壁管状ガイドで囲まれる。これにより、カバー２２が外側に１８０°旋回した場合、ハウジングが好ましく開口するように、カバーは配置される。カバーは、外部円形表面に、ゴム様のコーティングまたは小さいゴム様突起部２４を、部分的に備えている。開口状態で表面に位置しているハウジングは、カバー２２に対して旋回することで閉じられる。ゴム様のまたは柔らかいコーティング２４と、表面に対する圧力との結果、カバーは、表面に固定された状態となる。従って、延長部を用いた場合でも、装置の片手操作が可能となる。装置は、昼間に、照明光なしで用いられても良い。
【符号の説明】
【００３３】
１          照明器具
２          取り付け部
３、１２    スペーサー
４、１０    プレート
５          照明器具ガラス
６、８      ピン
７          スプリング
９          貫通孔
１３        格子部品
１４        カバー
１６        受け部
１７        延長棒
１８、１９  ピン
２０        ハウジング
２１        ベース
２２        旋回軸カバー
２３        側壁
２４        突起部
【図１】
2010500008.tif 000003
【図２】
2010500008.tif 000004
【図３】
2010500008.tif 000005
【図４】
2010500008.tif 000006
【図５】
2010500008.tif 000007
【国際調査報告】
2010500008.tif 000008
2010500008.tif 000009
2010500008.tif 000010
2010500008.tif 000011